(57)【要約】感熱式プリントヘッドへのエネルギーの提供に対する感熱式プリントヘッド要素の、時間に沿った熱反応をモデル化する、感熱式プリントヘッドのモデルを提供する。所望の濃度を有する点を生成するためにプリントヘッドサイクル中にプリントヘッド要素のそれぞれに対して提供されるエネルギーの量は、（１）プリントヘッドサイクル中にプリントヘッド要素によって生成されるべき所望の濃度と、（２）プリントヘッドサイクルの開始時におけるプリントヘッド要素の予測温度と、（３）プリントヘッドサイクルの開始時におけるプリンタ周囲温度と、（４）周囲相対湿度とに基づいて計算される。
2007533512.tif 000002
【特許請求の範囲】
【請求項１】
（Ａ）プリンタ内のプリントヘッドの第１のプリントヘッド温度ＴＳを識別するステップと、
（Ｂ）該プリンタ内の現周囲温度Ｔｒを識別するステップと、
（Ｃ）該第１のプリントヘッド温度ＴＳと、該プリンタ周囲温度Ｔｒおよび現相対湿度からなる群から選択された少なくとも１つの特性とに基づいて、修正されたプリントヘッド温度Ｔ’Ｓを識別するステップと、
（Ｄ）該修正されたプリントヘッド温度Ｔ’Ｓに基づいて、該プリントヘッド内のプリントヘッド要素へと提供される入力エネルギーを識別するステップと
を包含する、方法。
【請求項２】
前記ステップ（Ｃ）が、
（Ｃ）（１）前記方法が較正されたときの温度Ｔｒｃを識別するステップと、
（Ｃ）（２）（ａ）前記現プリンタ周囲温度Ｔｒと該較正プリンタ周囲温度Ｔｒｃとの差と、（ｂ）前記現相対湿度と該方法が較正されたときの相対湿度との差とからなる群から選択された少なくとも１つの値に基づいて、前記修正されたプリントヘッド温度Ｔ’Ｓを識別するステップと
を包含する、請求項１に記載の方法。
【請求項３】
前記ステップ（Ｃ）（２）が、
【数１】
2007533512.tif 000005
からなる群から選択された式を用いてＴ’Ｓを識別するステップを包含し、
Ａｍは、定数であり、ΔＴｒは、前記現プリンタ周囲温度Ｔｒと前記方法が較正されたときのプリンタ周囲温度との差であり、ΔＲＨは、前記現相対湿度と該方法が較正されたときの相対湿度との差を含み、ｆｈ（）は、該相対湿度差ΔＲＨを等価温度差に変換する比例定数を含む、請求項２に記載の方法。
【請求項４】
プリンタ内のプリントヘッドの第１のプリントヘッド温度ＴＳを識別する第１の識別手段と、
該プリンタ内の現周囲温度Ｔｒを識別する第２の識別手段と、
該第１のプリントヘッド温度ＴＳと、該プリンタ周囲温度Ｔｒおよび現相対湿度からなる群から選択された少なくとも１つの特性とに基づいて、修正されたプリントヘッド温度Ｔ’Ｓを識別する第３の識別手段と、
該修正されたプリントヘッド温度Ｔ’Ｓに基づいて、該プリントヘッド内のプリントヘッド要素へと提供される入力エネルギーを識別する第４の識別手段と
を備える、装置。
【請求項５】
前記第３の識別手段が、
方法が較正されたときの温度Ｔｒｃを識別する第５の識別手段と、
（ａ）前記現プリンタ周囲温度Ｔｒと該較正プリンタ周囲温度Ｔｒｃとの差と、（ｂ）前記現相対湿度と該方法が較正されたときの相対湿度との差とからなる群から選択された少なくとも１つの値に基づいて、前記修正されたプリントヘッド温度Ｔ’Ｓを識別する第６の識別手段と
を備える、請求項４に記載の装置。
【請求項６】
前記第６の識別手段が、
【数２】
2007533512.tif 000006
からなる群から選択された式を用いてＴ’Ｓを識別する手段を備え、
Ａｍは、定数であり、ΔＴｒは、前記現プリンタ周囲温度Ｔｒと前記方法が較正されたときのプリンタ周囲温度との差であり、ΔＲＨは、前記現相対湿度と該方法が較正されたときの相対湿度との差を含み、ｆｈ（）は、該相対湿度差ΔＲＨを等価温度差に変換する比例定数を含む、請求項５に記載の装置。
【請求項７】
プリントヘッド要素を含む感熱式プリンタにおいて、
（Ａ）該プリントヘッド要素の現温度と、該プリントヘッド要素によってプリントされるべき所望の出力濃度の複数の一次元関数と、プリンタ周囲温度および現湿度からなる群から選択された少なくとも１つの特性とに基づいて、該プリントヘッド要素へと提供される入力エネルギーを計算するステップを包含する、方法。
【請求項８】
前記プリントヘッド要素が、プリントヘッド内の複数のプリントヘッド要素のうちの１つであり、ＴＳは、該プリントヘッドの現温度であり、ΔＴｒは、前記プリンタ周囲温度と前記方法が較正されたときのプリンタ周囲温度との差であり、
該方法は、
【数３】
2007533512.tif 000007
からなる群から選択された式に従って、修正された現プリントヘッド温度Ｔ’Ｓを計算するステップをさらに包含し、
Ａｍは、定数であり、ΔＲＨは、前記現湿度と該方法が較正されたときの湿度との差を含み、ｆｈ（）は、該相対湿度差ΔＲＨを等価温度差に変換し、
前記ステップ（Ａ）が、該修正された現プリントヘッド温度Ｔ’Ｓに基づいて該プリントヘッドの現温度を識別するステップを包含する、請求項７に記載の方法。
【請求項９】
（Ｃ）ソース画像内の複数のピクセルの一サブセット内の各ピクセルに対して、前記ステップ（Ａ）を実行するステップをさらに包含する、請求項８に記載の方法。
【請求項１０】
前記サブセットが前記ソース画像全体を構成する、請求項９に記載の方法。
【請求項１１】
（Ｄ）前記ソース画像内の複数のサブセットの各々に対して、前記ステップ（Ｂ）を繰り返すステップをさらに包含する、請求項９に記載の方法。
【請求項１２】
前記ステップ（Ａ）が、出力媒体の温度と、前記プリントヘッド要素の現温度と、前記プリンタ周囲温度と、複数の一次元関数とに基づいて、該プリントヘッド要素へと提供される入力エネルギーを計算するステップを包含する、請求項７に記載の方法。
【請求項１３】
Ｔｒが前記プリンタ周囲温度であり、Ｔｈが前記プリントヘッド要素の現温度であり、
前記ステップ（Ａ）が、
（Ａ）（１）前記出力媒体温度ＴｍをＴｍ＝Ｔｒ＋Ａｍ（Ｔｈ−Ｔｒ）として計算するステップであって、Ａｍは定数である、ステップと、
（Ａ）（２）前記入力エネルギーＥをＥ＝Ｇ’（ｄ）＋Ｓ’（ｄ）Ｔｍとして計算するステップであって、Ｇ’（ｄ）およびＳ’（ｄ）は、前記複数の一次元関数のうちの２つを構成する、ステップと
を包含する、請求項１２に記載の方法。
【請求項１４】
Ｇ’（ｄ）およびＳ’（ｄ）は、前記複数の一次元関数のうちの２つを構成し、
前記方法が、
（Ｂ）前記ステップ（Ａ）の前において、式Ｇ（ｄ，Ｔｒ）＝Ｇ’（ｄ）＋Ｓ’（ｄ）（１−Ａｍ）ＴｒおよびＳ（ｄ）＝Ｓ’（ｄ）Ａｍを用いて関数Ｇ（ｄ、Ｔｒ）およびＳ（ｄ）に対する値を事前計算するステップであって、ｄは濃度を表し、Ｔｒは前記プリンタ周囲温度を表し、Ａｍは定数である、ステップと、
（Ｃ）ソース画像内の複数のピクセルＰの各々に対して、該事前計算した関数Ｇ（ｄ，Ｔｒ）およびＳ（ｄ）を用いて該ステップ（Ａ）を実行するステップと
をさらに包含する、請求項７に記載の方法。
【請求項１５】
前記ステップ（Ｃ）が、前記ソース画像内の複数のピクセルＰの各々に対して、前記入力エネルギーＥをＥ＝Ｇ（ｄ，Ｔｒ）＋Ｓ（ｄ）Ｔｈとして計算するステップを包含し、Ｔｈは前記プリントヘッド要素の温度を含む、請求項１４に記載の方法。
【請求項１６】
前記プリントヘッド要素が、プリントヘッド内の複数のプリントヘッド要素のうちの１つであり、Ｔｒｃは前記方法が較正されたときのプリンタ周囲温度であり、ΔＴｒはＴｒｃと現プリンタ周囲温度との差であり、修正されたプリントヘッド要素温度Ｔ’ｈが、
【数４】
2007533512.tif 000008
からなる群から選択された式に従って計算され、
Ａｍは、定数であり、ΔＲＨは、前記現湿度と前記方法が較正されたときの湿度との差を含み、ｆｈ（）は、該相対湿度差ΔＲＨを等価温度差に変換し、
前記ステップ（Ａ）が、該修正されたプリントヘッド要素温度Ｔ’ｈに基づいて前記入力エネルギーを計算するステップを包含する、請求項７に記載の方法。
【請求項１７】
（Ｂ）前記プリントヘッド要素に前記入力エネルギーを提供するステップをさらに包含する、請求項７に記載の方法。
【請求項１８】
前記プリントヘッド要素の現温度が、該プリントヘッド要素の予測された現温度を含む、請求項７に記載の方法。
【請求項１９】
前記予測された温度が、プリントヘッド周囲温度と、前記プリントヘッド要素に以前に提供されたエネルギーとに基づいて、予測される、請求項１８に記載の方法。
【請求項２０】
前記感熱式プリンタが複数のプリントヘッド要素を含み、前記予測された温度が、プリントヘッド温度と、該プリントヘッド要素に以前に提供されたエネルギーと、そのプリントヘッド要素とは別の該複数のプリントヘッド要素内の少なくとも１つのプリントヘッド要素に以前に提供されたエネルギーとに基づいて、予測される、請求項７に記載の方法。
【請求項２１】
プリントヘッド要素と、
該プリントヘッド要素の現温度と、該プリントヘッド要素によってプリントされるべき所望の出力濃度の複数の一次元関数と、プリンタ周囲温度および現湿度からなる群から選択された少なくとも１つの特性とに基づいて、該プリントヘッド要素へと提供される入力エネルギーを計算する第１の計算手段と
を備える、プリンタ。
【請求項２２】
前記プリントヘッド要素が、プリントヘッド内の複数のプリントヘッド要素のうちの１つであり、ＴＳは、該プリントヘッドの現温度であり、ΔＴｒは、前記プリンタ周囲温度と方法が較正されたときのプリンタ周囲温度との差であり、前記装置は、
【数５】
2007533512.tif 000009
からなる群から選択された式に従って、修正された現プリントヘッド温度Ｔ’Ｓを計算する第２の計算手段をさらに備え、
Ａｍは、定数であり、ΔＲＨは、前記現湿度と該方法が較正されたときの湿度との差を含み、ｆｈ（）は、該相対湿度差ΔＲＨを等価温度差に変換し、
前記第１の計算手段が、該修正された現プリントヘッド温度Ｔ’Ｓに基づいて該プリントヘッドの現温度を識別する手段を備える、請求項２１に記載の装置。
【請求項２３】
ソース画像内の複数のピクセルの一サブセット内の各ピクセルに対して、前記第１の計算手段を適用する手段をさらに備える、請求項２２に記載の装置。
【請求項２４】
前記サブセットが前記ソース画像全体を構成する、請求項２３に記載の装置。
【請求項２５】
前記ソース画像内の複数のサブセットの各々に対して、前記第２の手段を適用する手段をさらに備える、請求項２３に記載の装置。
【請求項２６】
前記第１の計算手段が、出力媒体の温度と、前記プリントヘッド要素の現温度と、前記プリンタ周囲温度と、複数の一次元関数とに基づいて、該プリントヘッド要素へと提供される入力エネルギーを計算する手段を備える、請求項２１に記載の装置。
【請求項２７】
Ｔｒが前記プリンタ周囲温度であり、Ｔｈが前記プリントヘッド要素の現温度であり、
前記第１の計算手段が、
前記出力媒体温度ＴｍをＴｍ＝Ｔｒ＋Ａｍ（Ｔｈ−Ｔｒ）として計算する手段であって、Ａｍは定数である、手段と、
前記入力エネルギーＥをＥ＝Ｇ’（ｄ）＋Ｓ’（ｄ）Ｔｍとして計算する手段であって、Ｇ’（ｄ）およびＳ’（ｄ）は、前記複数の一次元関数のうちの２つを構成する、手段と
を備える、請求項２６に記載の装置。
【請求項２８】
Ｇ’（ｄ）およびＳ’（ｄ）は、前記複数の一次元関数のうちの２つを構成し、
前記装置が、
前記ステップ（Ａ）の前において、式Ｇ（ｄ，Ｔｒ）＝Ｇ’（ｄ）＋Ｓ’（ｄ）（１−Ａｍ）ＴｒおよびＳ（ｄ）＝Ｓ’（ｄ）Ａｍを用いて関数Ｇ（ｄ、Ｔｒ）およびＳ（ｄ）に対する値を事前計算する手段であって、ｄは濃度を表し、Ｔｒは前記プリンタ周囲温度を表し、Ａｍは定数である、手段と、
ソース画像内の複数のピクセルＰの各々に対して、該事前計算した関数Ｇ（ｄ，Ｔｒ）およびＳ（ｄ）を用いて前記第１の手段を適用する手段と
をさらに備える、請求項２１に記載の装置。
【請求項２９】
前記事前計算する手段が、前記ソース画像内の複数のピクセルＰの各々に対して、前記入力エネルギーＥをＥ＝Ｇ（ｄ，Ｔｒ）＋Ｓ（ｄ）Ｔｈとして計算するステップを実行する手段を備え、Ｔｈは前記プリントヘッド要素の温度を含む、請求項２８に記載の装置。
【請求項３０】
前記プリントヘッド要素が、プリントヘッド内の複数のプリントヘッド要素のうちの１つであり、Ｔｒｃは方法が較正されたときのプリンタ周囲温度であり、ΔＴｒはＴｒｃと現プリンタ周囲温度との差であり、修正されたプリントヘッド要素温度Ｔ’ｈが、
【数６】
2007533512.tif 000010
からなる群から選択された式に従って計算され、
Ａｍは、定数であり、ΔＲＨは、前記現湿度と該方法が較正されたときの湿度との差を含み、ｆｈ（）は、該相対湿度差ΔＲＨを等価温度差に変換し、
前記第１の計算手段が、該修正されたプリントヘッド要素温度Ｔ’ｈに基づいて前記入力エネルギーを計算する手段を備える、請求項２１に記載の装置。
【請求項３１】
前記プリントヘッド要素へと前記入力エネルギーを提供する手段をさらに備える、請求項２１に記載の装置。
【請求項３２】
前記プリントヘッド要素の現温度が、該プリントヘッド要素の予測された現温度を含む、請求項２１に記載の装置。
【請求項３３】
前記予測された温度が、プリントヘッド周囲温度と、前記プリントヘッド要素に以前に提供されたエネルギーとに基づいて、予測される、請求項３２に記載の装置。
【請求項３４】
前記感熱式プリンタが複数のプリントヘッド要素を含み、前記予測された温度が、プリントヘッド温度と、該プリントヘッド要素に以前に提供されたエネルギーと、そのプリントヘッド要素とは別の該複数のプリントヘッド要素内の少なくとも１つのプリントヘッド要素に以前に提供されたエネルギーとに基づいて、予測される、請求項３１に記載の装置。
【請求項３５】
複数のプリントヘッド要素を含んだプリントヘッドを有する感熱式プリンタにおいて、複数の出力濃度を生成するように、複数のプリントヘッドサイクルの各サイクルに対して、該プリントヘッドサイクル中において該複数のプリントヘッド要素へと提供される複数の入力エネルギーを発生させる方法であって、該方法は、
（Ａ）多重分解能熱伝達モデルを用いて、該複数のプリントヘッドサイクルの各サイクルに対して、該プリントヘッドサイクルの初めにおける該複数のプリントヘッド要素の複数の予測された温度を発生させるステップと、
（Ｂ）逆媒体モデルを用いて、該複数の予測された温度と、該プリントヘッドサイクル中において該複数のプリントヘッド要素によって出力されるべき複数の濃度と、少なくとも１つのプリンタ周囲温度および少なくとも１つの湿度からなる群から選択された少なくとも１つの特性とに基づいて、該複数の入力エネルギーを発生させるステップと
を包含する、方法。
【請求項３６】
前記ステップ（Ａ）が、プリントヘッド温度と、少なくとも１つ以前のプリントヘッドサイクル中において前記複数のプリントヘッド要素へと提供された複数の入力エネルギーとに基づいて、前記複数の予測された温度を発生させるステップを包含する、請求項３５に記載の方法。
【請求項３７】
前記ステップ（Ａ）が、前記複数のプリントヘッド要素に対する複数の以前に予測された温度に基づいて、前記複数の予測された温度を発生させるステップを包含する、請求項３５に記載の方法。
【請求項３８】
前記ステップ（Ａ）が、前記複数のプリントヘッド要素の各々に対して、少なくとも１つ以前のプリントヘッドサイクルの初めにおける、その要素とは別の少なくとも１つのプリントヘッド要素の予測された温度に基づいて、予測された温度を発生させるステップを包含する、請求項３５に記載の方法。
【請求項３９】
前記ステップ（Ａ）および（Ｂ）が、前記感熱式プリンタの単一のプリントヘッドサイクル中において実行される、請求項３５に記載の方法。
【請求項４０】
複数のプリントヘッド要素を含んだプリントヘッドと、
複数の出力濃度を生成するように、複数のプリントヘッドサイクルの各サイクルに対して、該プリントヘッドサイクル中において該複数のプリントヘッド要素へと提供される複数の入力エネルギーを発生させる手段であって、
多重分解能熱伝達モデルを用いて、該複数のプリントヘッドサイクルの各サイクルに対して、該プリントヘッドサイクルの初めにおける該複数のプリントヘッド要素の複数の予測された温度を発生させる熱予測手段と、
逆媒体モデルを用いて、該複数の予測された温度と、該プリントヘッドサイクル中において該複数のプリントヘッド要素によって出力されるべき複数の濃度と、少なくとも１つのプリンタ周囲温度および少なくとも１つの湿度からなる群から選択された少なくとも１つの特性とに基づいて、該複数の入力エネルギーを発生させるエネルギー発生手段と
を備える、発生させる手段と
を備える、感熱式プリンタ。
【請求項４１】
前記温度予測手段が、プリントヘッド温度と、少なくとも１つ以前のプリントヘッドサイクル中において前記複数のプリントヘッド要素へと提供された複数の入力エネルギーとに基づいて、前記複数の予測された温度を発生させる手段を備える、請求項４０に記載の装置。
【請求項４２】
前記温度予測手段が、前記複数のプリントヘッド要素に対する複数の以前に予測された温度に基づいて、前記複数の予測された温度を発生させる手段を備える、請求項４０に記載の装置。
【請求項４３】
前記温度予測手段が、前記複数のプリントヘッド要素の各々に対して、少なくとも１つ以前のプリントヘッドサイクルの初めにおける、その要素とは別の少なくとも１つのプリントヘッド要素の予測された温度に基づいて、予測された温度を発生させる手段を備える、請求項４０に記載の装置。
【請求項４４】
前記温度予測手段と前記エネルギー予測手段とが、前記感熱式プリンタの単一のプリントヘッドサイクル中において適用される、請求項４０に記載の装置。
【発明の詳細な説明】
【技術分野】
【０００１】
本発明は、感熱式プリントに関し、より詳細には、感熱式プリントヘッドに対する熱履歴の影響を補正することによって感熱式プリンタ出力を改善するための技術に関する。
【背景技術】
【０００２】
感熱式プリンタは、一般的に、たとえば、顔料または染料をドナーシートから出力媒体へ転写することによって、あるいは、色を形成する化学物質を出力媒体内で活性化させることによって、出力媒体上にプリントする、発熱体（「プリントヘッド要素」とも呼ぶ）の直線的なアレイを含む。出力媒体は、一般的に、転写された顔料を受容できる、多孔性のレシーバ、あるいは、色を形成する化学物質で被覆された紙である。プリントヘッド要素のそれぞれは、起動されると、プリントヘッド要素の下を通過する媒体上に色を形成し、特定の濃度を有する点を作る。より大きな点または濃度の濃い点を伴う領域は、より小さな点または濃度の薄い点を伴う領域よりも暗く感じられる。デジタル画像は、非常に小さな緊密に配置された二次元アレイとして表現される。
【０００３】
感熱式プリントヘッド要素は、エネルギーを提供することによって起動される。エネルギーをプリントヘッド要素に提供すると、プリントヘッド要素の温度が上昇し、出力媒体への顔料の転写またはレシーバ内での色の形成が起こる。この方法でプリントヘッド要素によって発生された出力の濃度は、プリントヘッド要素に対して提供されたエネルギー量の関数である。プリントヘッド要素に対して提供されるエネルギー量は、たとえば、特定の時間間隔内にプリントヘッド要素への電力の量を変動させることによって、あるいは、プリントヘッド要素に対して、より長い時間間隔の間電力を提供することによって、変動し得る。
【０００４】
従来の感熱式プリンタにおいて、デジタル画像がプリントされる時間は、固定の時間間隔（本明細書中では「プリントヘッドサイクル」と呼ぶ）に分かれている。一般的に、デジタル画像中のピクセルの１つの列（またはその一部）は、１つのプリントヘッドサイクル中にプリントされる。各プリントヘッド要素は、一般的に、デジタル画像の特定の段にあるピクセル（またはサブピクセル）をプリントする役割を担う。各プリントヘッドサイクル中、プリントヘッドサイクルに所望の濃度を有する出力を発生させるようなレベルまでプリントヘッド要素の温度を上昇させるように計算された、ある量のエネルギーが、各プリントヘッドサイクルへ供給される。異なるプリントヘッド要素に対し、プリントヘッド要素によって発生されるべき様々な所望の濃度に基づいて、様々な量のエネルギーが提供され得る。
【０００５】
従来の感熱式プリンタに伴う１つの問題点は、そのプリントヘッド要素が、各プリントヘッドサイクルの終了後に熱を保持するという事実から生じるものである。一部の感熱式プリンタにおいては、特定のプリントヘッド要素に対して特定のプリントヘッドサイクルの間に供給されたエネルギーの量は、一般的に、プリントヘッドサイクルの開始時におけるプリントヘッド要素の温度が既知の固定の温度であるという仮定に基づいて計算されるため、この熱の保持は問題となり得る。実際に、プリントヘッドサイクルの開始時におけるプリントヘッド要素の温度は、特に以前のプリントヘッドサイクル中にプリントヘッド要素に対して供給されたエネルギーの量に依存するため、プリントヘッドサイクル中にプリントヘッド要素によって達成される実際の温度は、較正温度とは異なり得、それによって、所望される出力濃度よりも高いまたは低い出力濃度を生じる。特定のプリントヘッド要素の現温度が、それ自体の以前の温度（本明細書中では、「熱履歴」と呼ぶ）によってのみでなく、周囲（室内）温度や、プリントヘッド内の他のプリントヘッド要素の熱履歴によっても影響されるという事実によって、さらなる複雑さが同様に生じる。
【０００６】
以上の議論から推論され得るように、従来の一部の感熱式プリンタにおいて、各個別の感熱式プリントヘッド要素の平均温度は、デジタル画像のプリント中に徐々に上昇する傾向にある。これは、プリントヘッド要素による熱の保持、およびこのような熱保持という点からのエネルギーの過剰提供に起因する。この徐々の温度上昇によって、プリントヘッド要素によって発生される出力の濃度において、それに対応する徐々の上昇が生じる。これにより、プリント画像において暗さが増したように感じられる。本明細書中ではこの現象を「濃度の偏り」と呼ぶ。
【０００７】
さらに、従来の感熱式プリンタは、一般的に、隣接するピクセル（プリントヘッド中にわたるピクセルおよびプリントの方向にあるピクセルの両方）間にシャープな濃度の階調を正確に再現する困難性を有する。たとえば、プリントヘッド要素が、白のピクセルに続いて黒のピクセルをプリントする場合、２つのピクセル間における理想的なシャープなエッジは、一般的にはプリントされるとぼけてしまう。この問題は、白いピクセルをプリントした後に黒いピクセルをプリントするためにプリントヘッド要素の温度を上昇させるのに必要な時間の長さによって生じる。より一般的には、この従来の感熱式プリンタの特性は、濃度の階調の高い領域を有する画像をプリントする際に、理想的な鮮明度よりも低いシャープさを結果として生じる。
【０００８】
「Ｔｈｅｒｍａｌ  Ｒｅｓｐｏｎｓｅ  Ｃｏｒｒｅｃｔｉｏｎ  Ｓｙｓｔｅｍ」と題された、先に参照した米国特許出願第０９／９３４，７０３号は、プリントヘッド要素へのエネルギーの提供に対する、感熱式プリントヘッド要素の時間が経つにつれての熱応答をモデル化する、感熱式プリントヘッドのモデルを開示している。感熱式プリントヘッドモデルは、各プリントヘッドサイクルの開始時において、（１）温度センサによって測定された、感熱式プリントヘッドの現温度と、（２）プリントヘッドの熱履歴と、（３）プリントヘッドのエネルギー履歴とに基づいて、感熱式プリントヘッド要素のそれぞれの温度の予測を生成する。所望の濃度を有する点を生成するために、プリントヘッドサイクル中にプリントヘッド要素のそれぞれに対して提供されるエネルギーの量は、（１）プリントヘッドサイクル中にプリントヘッド要素によって発生されるべき所望の濃度と、（２）プリントヘッドサイクルの開始時における、プリントヘッド要素の予測温度とに基づいて計算される。
【０００９】
このような技術は、熱履歴制御を行う際にプリントヘッドの温度を考慮に入れるが、先に参照した特許出願において開示されている技術は、熱履歴制御を行う際に、時間が経つにつれてのプリンタ周囲温度における変化を特に考慮していない。同様に、先に参照した特許出願において開示されている技術では、湿度の影響が特に考慮されない。
【００１０】
したがって、周囲のプリント条件を考慮に入れることによってより正確にデジタル画像を表現するための、改善された技術が必要である。
【発明の開示】
【課題を解決するための手段】
【００１１】
感熱式プリントヘッドへのエネルギーの提供に対する感熱式プリントヘッド要素の熱反応を時間に沿ってモデル化する、感熱式プリントヘッドのモデルを提供する。所望の濃度を有する点を生成するためにプリントヘッドサイクル中にプリントヘッド要素のそれぞれに対して提供されるエネルギーの量は、（１）プリントヘッドサイクル中にプリントヘッド要素によって生成されるべき所望の濃度と、（２）プリントヘッドサイクルの開始時におけるプリントヘッド要素の予測温度と、（３）プリントヘッドサイクルの開始時におけるプリンタ周囲温度と、（４）周囲相対湿度とに基づいて計算される。
【００１２】
本発明の一局面において、（Ａ）プリンタ内のプリントヘッドの第１のプリントヘッド温度ＴＳを識別するステップと、（Ｂ）プリンタ内の現周囲温度Ｔｒを識別するステップと、（Ｃ）第１のプリントヘッド温度ＴＳと、プリンタ周囲温度Ｔｒとに基づいて、修正されたプリントヘッド温度Ｔ’Ｓを識別するステップと、（Ｄ）修正されたプリントヘッド温度Ｔ’Ｓに基づいて、プリントヘッド内のプリントヘッド要素へと提供される入力エネルギーを識別するステップとを含む、方法が提供される。ステップ（Ｄ）は、修正されたプリントヘッド温度Ｔ’ｓと現相対湿度とに基づいて、プリントヘッド要素へ提供する入力エネルギーを識別するステップを含み得る。
【００１３】
本発明の別の局面において、プリントヘッド要素を含む感熱式プリンタと関連して用いるための方法が提供される。方法は、（Ａ）プリントヘッド要素の現温度と、プリンタ周囲温度と、プリントヘッド要素によってプリントされるべき所望の出力濃度の複数の１変数関数とに基づいて、プリントヘッド要素へと提供される入力エネルギーを計算するステップを含む。
【００１４】
本発明の別の局面において、複数のプリントヘッド要素を含んだプリントヘッドを有する感熱式プリンタと共に用いるための方法が提供される。方法は、複数のプリントヘッドサイクルの各サイクルに対し、プリントヘッドサイクル中において複数の出力濃度を発生するために複数のプリントヘッド要素へと提供される複数の入力エネルギーを発生させる。方法は、（Ａ）多重分解能熱伝達モデルを用いて、複数のプリントヘッドサイクルの各サイクルに対して、プリントヘッドサイクルの初めにおける複数のプリントヘッド要素の複数の予測された温度を発生させるステップと、（Ｂ）逆媒体モデルを用いて、複数の予測された温度と、プリントヘッドサイクル中において複数のプリントヘッド要素によって出力されるべき複数の濃度と、少なくとも１つのプリンタ周囲温度とに基づいて、複数の入力エネルギーを発生させるステップとを含む。
【００１５】
以下の記載および特許請求の範囲から、本発明の多様な局面および実施形態の、その他の特徴および利点が明白となろう。
【発明を実施するための最良の形態】
【００１６】
感熱式プリントヘッドへのエネルギーの提供に対する感熱式プリントヘッド要素の、熱反応を時間に沿ってモデル化する、感熱式プリントヘッドのモデルを提供する。所望の濃度を有する点を生成するためにプリントヘッドサイクル中にプリントヘッド要素のそれぞれに対して提供されるエネルギーの量は、（１）プリントヘッドサイクル中にプリントヘッド要素によって生成されるべき所望の濃度と、（２）プリントヘッドサイクルの開始時におけるプリントヘッド要素の予測温度と、（３）プリントヘッドサイクルの開始時におけるプリンタ周囲温度と、（４）周囲相対湿度とに基づいて計算される。
【００１７】
先に参照した、「Ｔｈｅｒｍａｌ  Ｒｅｓｐｏｎｓｅ  Ｃｏｒｒｅｃｔｉｏｎ  Ｓｙｓｔｅｍ」と題された特許出願は、感熱式プリントヘッドへのエネルギーの提供に対する感熱式プリントヘッド要素の熱反応を時間に沿ってモデル化する、感熱式プリントヘッドのモデルを開示した。感熱式プリントヘッドのプリントヘッド要素の温度の履歴を、本明細書中ではプリントヘッドの「熱履歴」と呼ぶ。時間に沿ったプリントヘッドへのエネルギーの分配を、本明細書中では「エネルギー履歴」と呼ぶ。
【００１８】
特に、感熱式プリントヘッドモデルは、（１）感熱式プリントヘッドの現温度と、（２）プリントヘッドの熱履歴と、（３）プリントヘッドのエネルギー履歴とに基づいて、各プリントヘッドサイクルの開始時における、感熱式プリントヘッド要素のそれぞれの温度の予測を生成する。開示された感熱式プリントヘッドモデルの一実施形態において、感熱式プリントヘッドモデルは、（１）感熱式プリントヘッドの現温度と、（２）以前のプリントヘッドサイクルの開始時における、プリントヘッド要素の予測温度、およびプリントヘッド内のプリントヘッド要素のうちの１つ以上の他の要素の予測温度と、（３）以前のプリントヘッドサイクル中に、プリントヘッド要素へ提供されたエネルギーの量、およびプリントヘッド内のプリントヘッド要素のうちの１つ以上の他の要素へ提供されたエネルギーの量とに基づいて、プリントヘッドサイクルの開始時における、特定の感熱式プリントヘッド要素の温度の予測を生成する。
【００１９】
先に参照した特許出願において開示された一実施形態において、所望の濃度を有する点を生成するためにプリントヘッドサイクル中にプリントヘッド要素のそれぞれに対して提供されるエネルギーの量は、（１）プリントヘッドサイクル中にプリントヘッド要素によって生成されるべき所望の濃度と、（２）プリントヘッドサイクルの開始時におけるプリントヘッド要素の予測温度とに基づいて計算される。このような技術を利用した個々のプリントヘッド要素に対して提供されるエネルギーの量は、従来の感熱式プリンタによって提供されるエネルギーの量よりも大きくなり得、あるいは小さくなり得る。たとえば、濃度の偏りを補正するためにより少ないエネルギー量が提供され得る。シャープな濃度の階調を生成するためには、より大きなエネルギー量が提供され得る。開示されたモデルは、所望の出力濃度を生成するために適切であるように入力エネルギーを増大または低減させるのに十分フレキシブルである。
【００２０】
感熱式プリントヘッドモデルを使用することによって、周囲温度や以前のプリント画像内容に対するプリントエンジンの感度が低減され、このことはプリントヘッド要素の熱履歴にも現れる。
【００２１】
たとえば、図１を参照すると、本発明の一実施形態に従い、画像をプリントするためのシステムが図示されている。システムは逆プリンタモデル１０２を含む。逆プリンタモデル１０２は、個々のソース画像１００をプリントする際に感熱式プリンタ１０８内の各プリントヘッド要素に対して提供されるべき入力エネルギー１０６の量を算出するのに用いられる。図２および図３に関連して以下により詳細に記載するが、感熱式プリンタモデル３０２は、提供された入力エネルギー１０６に基づいて、感熱式プリンタ１０８によって生成された出力（たとえばプリント画像１１０）をモデル化する。感熱式プリンタモデル３０２はプリントヘッド温度モデルと応答のモデルとの両方を含む。逆プリンタモデル１０２は、感熱式プリンタモデル３０２の逆である。より詳細には、逆プリンタモデル１０２は、ソース画像１００（たとえば、二次元のグレースケールまたはカラーデジタル画像であり得る）と、感熱式プリンタのプリントヘッドの現温度１０４とに基づいて、各プリントヘッドサイクルに対する入力エネルギー１０６を算出する。感熱式プリンタ１０８は、入力エネルギー１０６を利用してソース画像１００のプリント画像１１０をプリントする。入力エネルギー１０６が時間と共に変化し得、またプリントヘッド要素のそれぞれについて変動し得るという点が理解されるべきである。同様に、プリントヘッド温度１０４も時間と共に変化し得る。
【００２２】
一般的に、逆プリンタモデル１０２は、感熱式プリンタ１０８によって通常生成される歪み（上述したような濃度の偏りの結果として生じる歪み、媒体反応の結果として生じる歪み等）をモデル化し、ソース画像１００を逆方向へ前もって歪ませる（ｐｒｅ−ｄｉｓｔｏｒｔ）ことによって、プリント画像１１０をプリントする際に本来であれば感熱式プリンタ１０８によって生じるはずの歪みを相殺する。したがって、感熱式プリンタ１０８に対して入力エネルギー１０６を提供することによってプリント画像１１０に所望の濃度が発生する。そのため、プリント画像１１０は上記の問題（濃度の偏り、シャープさの低下等）を被らない。特に、プリント画像１１０の濃度分布は、従来の感熱式プリンタによって典型的に生成される濃度分布よりも、ソース画像１００の濃度分布とより厳密に合致する。
【００２３】
図３に示すように、感熱式プリンタモデル３０２は、感熱式プリンタ１０８（図１）の挙動をモデル化するために利用される。図２に関連してより詳細に記載するように、感熱式プリンタモデル３０２は、逆プリンタモデル１０２を発生させるために用いられる。逆プリンタモデル１０２は、感熱式プリンタ１０８の熱履歴を考慮することによってプリント画像１１０に所望の出力濃度を発生するように感熱式プリンタ１０８へ提供する入力エネルギー１０６を発生させるために使用される。また、感熱式プリンタモデル３０２は、以下に説明するように、較正目的のために使用される。
【００２４】
感熱式プリンタモデル３０２について詳細に説明する前に、所定の表記法について紹介する。ソース画像１００（図１）は、ｒ行、ｃ列を有する二次元の濃度分布ｄｓとして見られ得る。本発明の一実施形態において、感熱式プリンタ１０８は、各プリントヘッドサイクル中にソース画像１００の１つの行をプリントする。本明細書中で使用する場合、変数ｎは離散的な時間間隔（個々のプリントヘッドサイクル等）を指すのに用いられる。したがって、本明細書中では時間間隔ｎの開始時におけるプリントヘッド温度１０４をＴＳ（ｎ）と称する。同様に、ｄＳ（ｎ）は、時間間隔ｎ中にプリントされるソース画像１００の行の濃度分布を指す。
【００２５】
同様に、入力エネルギー１０６は二次元のエネルギー分布Ｅとして見られ得るという点が理解されるべきである。今述べた表記法を用いて、Ｅ（ｎ）は、時間間隔ｎ中に感熱式プリンタのプリントヘッド要素の直線アレイに対して加えられる一次元のエネルギー分布を指す。プリントヘッド要素の予測温度を本明細書中ではＴｈ（先に参照した特許出願においてはＴａと称されている）と称する。時間間隔ｎの開始時におけるプリントヘッド要素の直線アレイに対する予測温度を本明細書中ではＴｈ（ｎ）と称する。
【００２６】
図３に示すように、感熱式プリンタモデル３０２は、各時間間隔ｎ中に、（１）時間間隔ｎの開始時における感熱式プリントヘッドの温度ＴＳ（ｎ）１０４と、（２）時間間隔ｎ中に感熱式プリントヘッド要素に対して提供される入力エネルギーＥ（ｎ）１０６とを入力として取る。感熱式プリンタモデル３０２は、一度につき１行の予測プリント画像３０６（ｄｐ（ｎ））を出力として生じる。感熱式プリンタモデル３０２は、ヘッド温度モデル２０２（図２に関連して以下により詳細に説明する）と媒体濃度モデル３０４とを含む。媒体濃度モデル３０４は、ヘッド温度モデル２０２によって生成された予測温度Ｔｈ（ｎ）２０４と、入力エネルギーＥ（ｎ）１０６とを入力として取り、予測プリント画像３０６を出力として生成する。
【００２７】
図２を参照する。逆プリンタモデル１０２の一実施形態が図示されている。逆プリンタモデル１０２は、時間間隔ｎ毎に、（１）時間間隔ｎの開始時におけるプリントヘッド温度１０４ＴＳ（ｎ）と、（２）時間間隔ｎ中にプリントされるべきソース画像１００の行の濃度ｄＳ（ｎ）とを入力として受け取る。逆プリンタモデル１０２は、入力エネルギーＥ（ｎ）１０６を出力として生成する。
【００２８】
逆プリンタモデル１０２は、ヘッド温度モデル２０２と逆媒体濃度モデル２０６とを含む。一般的に、ヘッド温度モデル２０２は、プリント画像１１０がプリントされる間、時間が経つにつれてのプリントヘッド要素の温度を予測する。より具体的には、ヘッド温度モデル２０２は、（１）プリントヘッドの現温度ＴＳ（ｎ）１０４と、（２）時間間隔ｎ−１中にプリントヘッド要素に対して提供される入力エネルギーＥ（ｎ−１）とに基づいて、特定の時間間隔ｎの開始時におけるプリントヘッド要素の温度Ｔｈ（ｎ）２０４の予測を出力する。
【００２９】
一般的に、逆媒体濃度モデル２０６は、（１）時間間隔ｎの開始時における、プリントヘッド要素のそれぞれの予測温度Ｔｈ（ｎ）２０４と、（２）時間間隔ｎ中にプリントヘッド要素によって出力されるべき所望の濃度ｄＳ（ｎ）１００とに基づいて、時間間隔ｎ中にプリントヘッド要素のそれぞれに対して提供されるべきエネルギーＥ（ｎ）１０６の量を算出する。入力エネルギーＥ（ｎ）１０６は、次の時間間隔ｎ＋１中に使用されるべく、ヘッド温度モデル２０２へ提供される。従来の感熱式プリンタによって一般的に用いられている技術とは異なり、逆媒体濃度モデル２０６は、エネルギーＥ（ｎ）１０６を算出する際に、プリントヘッド要素の現（予測）温度Ｔｈ（ｎ）２０４と、温度に応じた媒体応答との両方を、それによって、熱履歴およびプリンタに由来するその他の欠陥の影響に対する改善された補正を達成する。
【００３０】
図２には明示していないが、ヘッド温度モデル２０２は、予測温度Ｔｈ（ｎ）２０４のうちの少なくとも一部を内部に保存し得る。したがって、以前の予測温度（Ｔｈ（ｎ−１）等）はまた、Ｔｈ（ｎ）２０４を算出する際に用いるための、ヘッド温度モデル２０２への入力とも考えられ得るという点が理解されるべきである。
【００３１】
先に参照した特許出願に記載されているように、逆媒体濃度モデル２０６は、各時間間隔ｎ中に、（１）ソース画像濃度ｄＳ（ｎ）１００と、（２）時間間隔ｎの開始時における、感熱式プリントヘッド要素の予測温度Ｔｈ（ｎ）２０４とを入力として受け取る。逆媒体濃度モデル２０６は、入力エネルギーＥ（ｎ）１０６を出力として生成する。換言すれば、逆媒体濃度モデル２０６によって定義される伝達関数は、２変数関数Ｅ＝Ｆ（ｄ，Ｔｈ）である。一実施形態において、上記関数Ｅ＝Ｆ（ｄ，Ｔｈ）は等式１を用いて表される。
Ｅ＝Ｇ（ｄ）＋Ｓ（ｄ）Ｔｈ  （等式１）
この等式は、所望の濃度を提供する正確なエネルギーを求める、Ｔｈに関するテイラー級数展開のうちの初めの２つの項として解釈され得る。このような表現は、様々な理由で好都合であり得る。例えば、２変数関数としたＥ＝Ｆ（ｄ，Ｔｈ）のソフトウェアおよび／またはハードウェアによる実行を命令するには、大量の記憶容量またはエネルギーＥを算出するためのかなりの数の計算が必要であり得る。対照的に、１変数関数Ｇ（ｄ）およびＳ（ｄ）は、比較的少量のメモリを用いてルックアップテーブルとして保存され得、逆媒体濃度モデル２０６は、比較的少数の計算を用いて等式１の結果を算出し得る。
【００３２】
ここで、ヘッド温度モデル２０２（図２〜図３）の一実施形態をより詳細に説明する。図５を参照すると、感熱式プリントヘッド５００を含む感熱式プリンタ１０８の一部分５３０の概略側面図が示されている。プリントヘッド５００は、ヒートシンク５０２ａと、セラミック５０２ｂと、グレイズ５０２ｃとを含むいくつかの層を含んでいる。グレイズ５０２ｃの下には、プリントヘッド要素５０２ａ〜ｉの直線アレイがある。図示を簡単にするために、図５には９個の発熱体５０２ａ〜ｉのみを示したが、一般的な感熱式プリントヘッドは、非常に小さな、緊密に配置されたプリントヘッド要素を１インチにつき数百個有するという点が理解されるべきである。プリントヘッド要素５０２ａ〜ｉは、レシーバ媒体５２２上で出力を生成する。
【００３３】
上記のように、プリントヘッド要素５０２ａ〜ｉを加熱するためにそれらに対してエネルギーが提供され得、それによってプリントヘッド要素５０２ａ〜ｉが出力媒体に顔料を転写するようになる。プリントヘッド要素５２０ａ〜ｉによって発生された熱は、層５０２ａ〜ｃとを介して上へ分散される。
【００３４】
時間に沿って、個々のプリントヘッド要素５２０ａ〜ｉ（たとえばデジタル画像をプリントする間に）の温度を直接測定することは、困難または過度に負担となるものであり得る。したがって、本発明の一実施形態においては、プリントヘッド要素５２０ａ〜ｉの温度を直接測定するのではなく、ヘッド温度モデル２０２を用いてプリントヘッド要素５２０ａ〜ｉの時間が経つにつれての温度を予測する。特に、ヘッド温度モデル２０２は、（１）プリントヘッド５００の温度と、（２）プリントヘッド要素５２０ａ〜ｉに対して以前に提供されたエネルギーとについての知見を用いて、プリントヘッド要素５２０ａ〜ｉの熱履歴をモデル化することによってプリントヘッド要素５２０ａ〜ｉの温度を予測し得る。プリントヘッド５００の温度は、温度センサ５１２（サーミスタ等）を用いて測定され得る。温度センサ５１２は、ヒートシンク５１２上のいくつかの点における温度Ｔｓ（ｎ）を測定する。
【００３５】
ヘッド温度モデル２０２は、多様な方法のうちの任意の方法で、プリントヘッド要素５２０ａ〜ｉの熱履歴をモデル化し得る。たとえば、本発明の一実施形態において、ヘッド温度モデル２０２は、プリントヘッド要素５２０ａ〜ｉから温度センサ５１２までの、プリントヘッド５００の層を介した熱拡散のモデルと関連して、温度センサ５１２によって測定した温度Ｔｓ（ｎ）を用いて、プリントヘッド要素５２０ａ〜ｉの現温度を予測する。しかしながら、ヘッド温度モデル２０２は、プリントヘッド５００を介して熱拡散をモデル化する以外の技術を用いてプリントヘッド要素５２０ａ〜ｉの温度を予測し得るという点が理解されるべきである。ヘッド温度モデル２０２を実施するために用いられ得る技術の例は、先に参照した「Ｔｈｅｒｍａｌ  Ｒｅｓｐｏｎｓｅ  Ｃｏｒｒｅｃｔｉｏｎ  Ｓｙｓｔｅｍ」と題された特許出願において、より詳細に開示されている。
【００３６】
以上に述べたように、先に参照した「Ｔｈｅｒｍａｌ  Ｒｅｓｐｏｎｓｅ  Ｃｏｒｒｅｃｔｉｏｎ  Ｓｙｓｔｅｍ」と題された特許出願において開示されている技術は、プリンタ周囲温度または湿度の変化を明示的に計算しない。むしろ、方法は、特定のプリンタ周囲温度および湿度において収集されたデータを用いて較正されていた。モデル予測とデータとの間の平均二乗誤差を最小化するために、感熱式プリンタモデル３０２および逆媒体モデル２０６のパラメータが概算されていた。このことによって、周囲条件の基準セットにおける熱履歴影響を記述するための正確なモデルがもたらされる。
【００３７】
ここで、周囲条件の変化を明確に計算するように上記の技術を修正するための技術の例を開示する。特に、（１）周囲温度の変動の影響を明確にモデル化し、広範囲の周囲温度において影響の補正を可能にし、（２）湿度変動の影響を補正するための技術を開示する。
【００３８】
２変数関数Ｅ＝Ｆ（ｄ，Ｔｈ）は、等式１に示すように１変数関数Ｇ（ｄ）とＳ（ｄ）との一次結合によって概算され得るということを想起されたい。変数Ｔｈはプリントサイクル（ラインタイム）の開始時におけるプリントヘッドの絶対温度を、ｄは所望の濃度を、それぞれ表す。必要とされるエネルギーＥは、等式１に示すように、レシーバ媒体の温度に依存し、ヘッド温度には依存しない。しかしながら、媒体温度を用いても、プリントヘッドの下にある媒体の温度がヘッド要素温度の１変数関数である限り、等式１の形は同一のままである。ヘッド要素に直線的に関係する等式１を、媒体温度Ｔｈについて書き直すと、等式２になる。
Ｅ＝Ｇ’（ｄ）＋Ｓ’（ｄ）Ｔｍ  （等式２）
等式２において、Ｔｍは、媒体の絶対温度を表し、関数Ｇ’（・）は等式１におけるＧ（・）関数に、Ｓ’（・）は等式１におけるＳ（・）に、それぞれ関連する。関数Ｇ’（・）およびＳ’（・）は、たとえば、先に参照した特許出願において開示されている、Ｇ（・）およびＳ（・）を概算するための技術を用いて概算され得る。
【００３９】
本発明の多様な実施形態において、媒体温度Ｔｍは、プリントヘッドおよびレシーバ媒体において起こる熱拡散をモデル化することによって概算される。本発明の一実施形態において、このような温度概算は、熱拡散問題を同等の電気回路問題に翻訳することによって行われる。
【００４０】
図６を参照する。本発明の一実施形態に従って、このような電気回路６００の例が示されている。媒体内の熱抵抗、熱容量、熱流量、および温度は、電気回路６００内の電気抵抗、静電容量、電流、電圧にそれぞれ翻訳される。このような対応づけ（ｍａｐｐｉｎｇ）は、熱拡散問題の図形表現のみでなく計算をも容易にする。
【００４１】
回路６００（図６）内のＲＣ回路ネットワーク６０２は、プリントヘッド５００（図５）をモデル化する。特に、ＲＣ回路６０４ａ〜ｃは、プリントヘッド５００の層５０２ａ〜ｃをそれぞれモデル化する。ノード６０６における電圧は、予測プリントヘッド要素温度Ｔｈをモデル化する。しかしながら、回路６０４ａ〜ｃと層５０２ａ〜ｃとの間には一対一の対応づけは必要でないという点に留意されたい。むしろ、プリントヘッド５００内の単一の層を複数の回路によってモデル化してもよく、単一の回路がプリントヘッド５００内の複数の層をモデル化してもよい。レシーバ媒体５２２は、複数のＲＣ回路ネットワーク６０８ａ〜ｆによってモデル化される。ノード６０６に直接接続された回路ネットワーク６０８ｃは、プリントヘッド要素の下にある媒体５２２の部分を直接モデル化する。回路ネットワーク６０８ａ〜ｆのうち、隣接するものは、連続的なプリントサイクルにおいてプリントヘッド５００によって覆われる方向に、レシーバ媒体５２２の隣接する部分をモデル化する。
【００４２】
図６に示す回路６００は、レシーバ媒体５２２上部でのプリントヘッド５００の連続的な動作を、ラインタイム（プリントサイクル）中にヘッド５００によってとられる不連続なステップとして、矢印６１２によって示される方向に近づける。再び図５を参照する。プリンタ５３０は、プリンタ５３０内部のプリンタ周囲温度Ｔｒを感知するための第２の温度センサ５３２を含み得るという点に留意されたい。ラインの開始点にある媒体５２２の新たな領域上をヘッド５００が移動する場合、新領域の初期温度Ｔｍは、温度センサ５３２によって測定された周囲温度Ｔｒに非常に近くなる。回路ネットワーク６０８ａ〜ｆは、媒体５２２内の側部の熱拡散をモデル化するクロスネットワークの抵抗体（たとえば抵抗体６１０）を含むが、短いプリントサイクルにおいては媒体５２２内でプリント方向に生じる熱拡散はほとんどないため、このような抵抗体は、本分析においては考慮に入れない。しかしながら、仮に媒体５２２内のこの熱拡散の影響を考慮することが所望された場合においては、このような抵抗体が考慮に入れられよう。
【００４３】
ヘッド５００から媒体５２２へ熱が流れ始めると、媒体温度Ｔｍが上昇し始める。熱流の速度は、ヘッド５００と媒体５２２との間の温度勾配に比例する。最終的な媒体温度Ｔｍは、ラインタイムΔｔと、ＲｍＣｍによって与えられる媒体５２２の時定数とに依存する。短いラインタイムについては、媒体温度Ｔｍは、等式３によって近似される。
【００４４】
【数７】
2007533512.tif 000003
等式３におけるＡｍは、等式４によって与えられる。
【００４５】
【数８】
2007533512.tif 000004
等式３を等式２にあてはめると、等式５が得られる。
Ｅ＝Ｇ’（ｄ）＋Ｓ’（ｄ）Ｔｒ（１−Ａｍ）＋Ｓ’（ｄ）ＡｍＴｈ  （等式５）
等式１と等式５とを比較すると、等式６および等式７が得られる。
Ｇ（ｄ，Ｔｒ）＝Ｇ’（ｄ）＋Ｓ’（ｄ）（１−Ａｍ）Ｔｒ  （等式６）
Ｓ（ｄ）＝Ｓ’（ｄ）Ａｍ  （等式７）
元のＧ（・）関数は陰にＴｒに依存していたのが、等式６においては陽に依存するようになっている点に留意されたい。
【００４６】
たとえば、図４を参照し、ここで逆媒体濃度モデル２０６（図２）の一実施形態をさらに詳細に説明する。逆媒体濃度モデル２０６は、時間間隔ｎ毎に、（１）ソース画像濃度ｄｓ（ｎ）１００と、（２）Ｔｈ（ｎ）２０４、すなわち時間間隔ｎの開始時における感熱式プリントヘッド要素の予測温度、およびＴｒ（ｎ）、すなわち時間間隔ｎの開始時におけるプリンタ周囲温度とを、入力として受け取る。逆媒体濃度モデル２０６は、出力として入力エネルギーＥ（ｎ）１０６を発生する。換言すれば、図４に示す逆媒体濃度モデル２０６によって決定される伝達関数は、３変数関数Ｅ＝Ｆ（ｄ，Ｔｈ，Ｔｒ）である。
【００４７】
図４から、図４に示す逆媒体濃度モデル２０６は等式５を実施するということがわかり得る。たとえば、モデル２０６は、関数Ｇ’（・）４２４と関数Ｓ’（・）４１６とを含む。第１の乗算器４３０はＳ’（・）４１６と、Ｔｒ（ｎ）４２６と、（１−Ａｍ）とを掛けることによって、等式５における第２の項を発生する。第２の乗算器４３２は、Ｓ’（・）４１６と、Ａｍ４２６と、Ｔｈ（ｎ）とを掛けることによって、等式５における第３の項を発生する。加算器４３４は、Ｇ’（・）を第１の乗算器４３０および第２の乗算器４３２の出力に加えることによって、入力エネルギーＥ（ｎ）１０６を発生する。
【００４８】
図７を参照すると、本発明の一実施形態における逆プリンタモデル１０２によって実行される、プリント画像１１０を発生するために感熱式プリンタ１０８へ提供する入力エネルギー１０６を発生するための、方法７００のフローチャートが示されている。方法７００は、ソース画像１００中の各ピクセルＰに関するループに入る（ステップ７０２）。方法７００は、プリントヘッド要素、すなわちピクセルＰをプリントするための要素の温度Ｔｈを識別する（ステップ７０４）。温度Ｔｈは、たとえば、先に参照した特許出願において開示されている技術を用いて、あるいは本明細書中において開示される技術を用いて、予測され得る。
【００４９】
方法７００は、プリンタ周囲温度Ｔｒを識別する（ステップ７０６）。プリンタ周囲温度Ｔｒは、たとえば、温度センサ５３２を用いた測定によって識別され得る。
【００５０】
方法７００は、ピクセルＰがプリントされるべきプリント媒体５２２の領域の温度Ｔｍ識別する（ステップ７０８）。温度Ｔｍは、たとえば、等式３を用いて概算され得る。
【００５１】
方法７００は、ピクセルＰの濃度ｄｓを識別する。（ステップ７１０）。方法７００は、識別されたプリントヘッド要素温度Ｔｈと、プリンタ周囲温度Ｔｒと、媒体領域温度Ｔｍと、濃度ｄｓとに基づいて、ピクセルＰをプリントするのに必要とされる入力エネルギーＥを識別する（ステップ７１２）。エネルギーＥは、たとえば、等式５を用いて識別され得る。方法７００は、エネルギーＥを適切なプリントヘッド要素へ提供し、それによってピクセルＰがプリントされるようにする（ステップ７１４）。方法７００は、ソース画像１００中の残りのピクセルＰステップ７０４〜７１４を反復し（ステップ７１６）、それによってソース画像１００の残りをプリントする。
【００５２】
ステップ７０８（媒体温度Ｔｍの識別）は方法７００において個別のステップとして実行される必要はないという点に留意されたい。たとえば、Ｔｍが等式３を用いて概算される場合、Ｔｍの識別はＴｈおよびＴｒに基づいてステップ７１２において陰に実行される。
【００５３】
図７Ａに示す方法７００は、多様な方法において実施され得る。たとえば、図７Ｂを参照すると、本発明の一実施形態において図７Ａの方法７００を実施するために用いられる方法７２０のフローチャートが示されている。方法７２０は、図７Ｂに示す方法７００と同一のステップ７０２〜７０６を含む。しかしながら、方法７２０は、等式３を用いてＴｍの値を算出することによって、各ピクセルＰに対する媒体温度Ｔｍを識別する（ステップ７２２）。方法７２０は、ピクセルＰの濃度ｄｓを識別し（ステップ７１０）、必要とされるエネルギーＥを、算出されたＴｍの値を等式２に代入することによって算出する。図７Ｂに示す方法７２０の１つの利点は、媒体温度Ｔｍを各ピクセルＰに対して算出することによって、プリンタ周囲温度Ｔｒにおける変化が１ライン毎の基準に基づいて考慮に入れられ得るという点である。
【００５４】
しかしながら、プリンタ周囲温度Ｔｒは一般的に長い時定数を有するため、プリンタ周囲温度Ｔｒにおける変化を１ライン毎の基準に基づいて考慮に入れることが格別な利益を提供しない場合がある。図７Ｃを参照すると、本発明の一実施形態において、プリントジョブ中にプリンタ周囲温度の変化を考慮に入れる能力を省くことによって、より高い算出効率で図７Ａの方法７００を実施するために用いられる、別の方法７３０のフローチャートが示されている。
【００５５】
方法７３０は、個々のピクセルエネルギーを計算する前に、等式６および等式７を用いて関数Ｇ（・）およびＳ（・）を予備計算する（ステップ７３２）。プリント中に、認識可能なほどプリンタ周囲温度Ｔｒが変化することが予期されない場合、ステップ７３２において実行された予備計算における単一のＴｒ値を用いることは、方法７３０の残りにおいて発生される出力に対して、認識し得るほどの効果を有さない。
【００５６】
方法７３０は、ソース画像１００中の各ピクセルＰに関するループに入り（ステップ７０２）、対応するプリントヘッド要素の温度Ｔｈを識別する（ステップ７０４）。方法７３０は、ピクセルＰの濃度ｄｓを識別する（ステップ７１０）。方法７３０は、ステップ７０６およびステップ７０８（図７Ａ）を省略し得る。それは、このようなステップによって生じる効果は、ステップ７３２において実行された予備計算によって達成されるためである。
【００５７】
関数Ｇ（・）およびＳ（・）を予備計算すると、方法７３０は、等式１を用いて入力エネルギーＥを識別する（ステップ７３４）。この識別には、濃度ｄｓおよびプリントヘッド温度Ｔｈのみが入力として必要であり、この識別によって、図７Ａに示す方法７００のステップ７１２が実施される。２つのルックアップテーブル、１つの加算、および１つの乗算のみを必要とする等式１は、図７Ｂの方法７２０における、等式２と等式３との組み合わせよりも効率的に算出され得るということが認識され得る。
【００５８】
方法７３０は、エネルギーＥをプリントヘッド要素に提供し（ステップ７１４）、残りのピクセルＰについてステップ７０４、ステップ７１０、ステップ７３４、およびステップ７１４を反復する（ステップ７１６）。
【００５９】
図７Ｄを参照すると、図７Ａに示す方法７００を実施するための、本発明の別の実施形態において用いられる、方法７４０のフローチャートが示されている。方法７４０は、周囲温度を考慮に入れる能力を保持しているが、図７Ｂに示す方法７２０よりも優れた算出効率を有する。逆媒体濃度モデル２０６が較正される周囲温度をＴｒｃとする。ｆｔ＝（１−Ａｍ）／Ａｍとする。等式５、等式６、および等式７を用いて、等式８が得られる。
Ｅ＝Ｇ’（ｄ）＋Ｓ’（ｄ）（１−Ａｍ）Ｔｒｃ＋Ｓ’（ｄ）（１−Ａｍ）（Ｔｒ−Ｔｒｃ）＋Ｓ’（ｄ）ＡｍＴｈ＝Ｇ（ｄ，Ｔｒｃ）＋Ｓ（ｄ）（Ｔｈ＋ｆｔΔＴｒ）  （等式８）
等式８において、ΔＴｒ＝Ｔｒ−Ｔｒｃである。換言すれば、等式８は、現プリンタ周囲温度Ｔｒと較正温度Ｔｒｃとの間の差に基づいてプリントヘッド要素温度Ｔｈに対して加えられた修正項ΔＴｈを用いることによって、入力エネルギーＥを算出する際に、周囲温度変化が考慮されるのを可能にする。修正項ΔＴｈは、等式９によって与えられる。
ΔＴｈ＝ｆｔΔＴｒ  （等式９）
図７Ｄを参照すると、本発明の一実施形態において、関数Ｇ（・，Ｔｒｃ）およびＳ（・）に対してルックアップテーブルが予備計算される（ステップ７４２）。方法７４０は、ソース画像１００中の各ピクセルＰに関するループに入り（ステップ７０２）、プリントヘッド要素の温度Ｔｈを識別し（ステップ７０４）、プリンタ周囲温度Ｔｒを識別し（ステップ７０６）、ピクセルＰの濃度ｄｓを識別する（ステップ７１０）。ピクセルＰに対する修正項ΔＴｈの値を算出するために、等式９が用いられる。方法７４０は、算出された修正項ΔＴｈを絶対温度Ｔｈに加え、ルックアップテーブルを用いてＧ（ｄ，Ｔｒｃ）およびＳ（ｄ）の値を求めることによって、等式８を用いて入力エネルギーＥを算出する（ステップ７４６）。方法７４０は、プリントヘッド要素に入力エネルギーＥを提供し（ステップ７１４）、ソース画像１００中の残りのピクセルについて、ステップ７０４、ステップ７１０、ステップ７４４、ステップ７４６、ステップ７１４を反復する（ステップ７１６）。
【００６０】
しかしながら、先に参照した、熱履歴制御アルゴリズムによる絶対温度Ｔｈの算出が、最も粗い層において（温度センサ５１２によって）得られたサーミスタの読みに対してプリントヘッド５００の全ての層の相対温度を加えることを含むという点を認識することによって、ステップ７４６において修正項ΔＴｈをプリントヘッド要素温度Ｔｈに加えることは省かれ得る。この点は、「Ｔｈｅｒｍａｌ  Ｒｅｓｐｏｎｓｅ  Ｃｏｒｒｅｃｔｉｏｎ  Ｓｙｓｔｅｍ」と題された特許出願においてより詳細に記載されている。結果的に、修正項ΔＴｈがサーミスタの読みＴｓに加えられる場合、修正項ΔＴｈは、熱履歴制御アルゴリズムによるプリントヘッド要素の絶対温度Ｔｈの算出によって、全ピクセルへ効果的に広がる。Ｔｓが、サーミスタ５１２によって記録された温度を表すということを想起されたい。したがって、修正されたサーミスタ温度Ｔｓ’が等式１０によって与えられる。
Ｔｓ’＝Ｔｓ＋ｆｔΔＴｒ  （等式１０）
修正されたサーミスタ温度Ｔｓ’は、次いで、先に参照した特許出願において開示されている技術を用いて、予測プリントヘッド要素温度Ｔｈを算出するために用いられ得、それによって、入力エネルギーＥの算出において各ピクセルに対して修正項ΔＴｈを加える必要を省き得る。
【００６１】
より具体的には、図７Ｅを参照すると、本発明の一実施形態において用いられる方法７５０のフローチャートが示されている。この方法は、図７Ｄに示す方法７４０と同一の機能を実行するためのものであるが、ステップ７４６において実行される加算を伴わない。図７Ｄに関連して先に説明したように、方法７５０は、関数Ｇ（・，Ｔｒｃ）およびＳ（・）に対して、ルックアップテーブルを予備計算する（ステップ７４２）。方法７５０は、ソース画像１００中のピクセルの各ブロックＢに関するループに入る（ステップ７５１）。ピクセルのブロックは、たとえば、ソース画像１００のサブセットまたは全体ソース画像１００であり得る。
【００６２】
方法７５０は、プリンタ周囲温度Ｔｒを識別する（ステップ７０６）。方法７５０は、現プリンタ周囲温度Ｔｒと較正プリンタ周囲温度Ｔｒｃとに基づいて、等式１０を用いて修正プリントヘッド温度Ｔｓ’を算出する（ステップ７５２）。
【００６３】
図７Ａに関連して先に述べたように、方法７５０は、ブロックＢ内の各ピクセルＰに関するループに入る（ステップ７０２）。方法７５０は、ピクセルＰをプリントするプリントヘッド要素の温度Ｔｈを識別し（ステップ７０４）、プリンタ周囲温度Ｔｒを識別し（ステップ７０６）、ピクセルＰの濃度ｄｓを識別する（ステップ７１０）。ステップ７５２において媒体温度Ｔｍが陰にに考慮されるため、ステップ７０８（図７Ａ）を実行する必要はない。
【００６４】
方法７５０は、等式１１を用いて入力エネルギーを算出する（ステップ７５４）。ステップ７５２において、修正プリントヘッド温度Ｔｓ’の算出の際にΔＴｈを考慮したため、等式１１は、等式１０から修正項ΔＴｈを除去した結果であるという点に留意されたい。
Ｅ＝Ｇ（ｄ，Ｔｒｃ）＋Ｓ（ｄ）Ｔｈ  （等式１１）
方法７５０は、入力エネルギーＥをプリントヘッド要素へ提供し（ステップ７１４）、ソース画像１００中の残りのピクセルについて、ステップ７０４、ステップ７１０、ステップ７５４、ステップ７１４を反復する（ステップ７１６）。方法７５０は、ソース画像１００中の残りのブロックについて、上記のステップを反復する（ステップ７５５）。
【００６５】
図７Ｅに示す方法７５０の１つの利点は、等式１１を計算することが、２つのルックアップテーブル、１つの加算、および１つの乗算のみを必要とし、等式１同様、計算上集中的なものでないため、ランタイム算出という点でオーバーヘッドが些少であるという点である。さらに、方法７５０は、必要であれば、長いプリントジョブ中のプリンタ周囲温度Ｔｒにおける変化を考慮に入れる能力を有している。このような変化は、ステップ７０４において識別されたプリントヘッド要素温度Ｔｈに反映される。
【００６６】
湿度における変化は、感熱式プリンタ１０８（図１）によって発生されたプリント画像１１０における濃度に影響し得る。しかしながら、湿度が複雑な方法で媒体モデル２０６を変化させ、その結果、等式２により課せられる構造に適応し得ない複雑な方法で媒体モデル２０６を変化させる場合、プリント濃度ににおける湿度の影響は、表現するのが困難であり得る。上記の議論からわかり得るように、媒体モデル２０６は、プリンタ周囲温度Ｔｒにおける任意の変動を説明するために容易に用いられ得る。本発明の一実施形態において、湿度の影響は、湿度を同等の温度変化に翻訳することによって考慮される。
【００６７】
「Ｔｈｅｒｍａｌ  Ｔｒａｎｓｆｅｒ  Ｒｅｃｏｒｄｉｎｇ  Ｓｙｓｔｅｍ」と題された米国特許第６，５３７，４１０号に記載されている技術を用いると、染料を溶解させるドナー層において熱性の溶媒を溶融させることによりプリントが実現され得る。溶解された染料は、次いで、毛管作用によってレシーバへ導かれる。理想としては、熱性の溶媒は固定された温度で溶融する。しかしながら、媒体中の不純物の存在は、溶融温度に影響し得る。我々は、空気中の水分がドナー層によって吸収され、熱性溶媒の融点を低下させると仮説を立てている。ドナー層によって吸収された水分量は、相対周囲湿度によって導かれる。したがって、本発明の一実施形態において、相対湿度における変化に比例する温度修正が適用される。
【００６８】
ΔＲＨが、現相対湿度と、媒体モデル２０６が較正された相対湿度との間の差を表すとする。修正プリントヘッド温度測定値Ｔ’ｓを計算する等式１０は、湿度影響を考慮に入れるために、等式１２に示すように修正され得る。
Ｔ’ｓ＝Ｔｓ＋ｆｔΔＴｒ＋ｆｈ（Ｔｒ）ΔＲＨ  （等式１２）
等式１２において、ｆｈ（・）は、相対湿度変化ΔＲＨを等価な温度変化に変換する比例定数を表す。我々は、周囲温度が高いほど、湿度は大きな影響を有するということを実験的に観察した。ｆｈ（・）のＴｒへの依存は、湿度に対する感度におけるこの変化を温度で再現することを意味する。
【００６９】
等式１２は、プリントヘッド温度Ｔｓに対して加えられる特定の修正項の形を示すという点に留意されたい。一般的に、この修正項は、２変数関数ｆ（Ｔｒ，ΔＲＨ）として書かれる。この関数では、ＴｒおよびΔＲＨに対する修正項の関数的従属性は、等式１２において示されるものとは異なる形をとる。特定のプリンタ周囲温度および相対湿度におけるこの関数の値は、修正プリントヘッド温度を決定することによって実験的に見出され得る。修正プリントヘッド温度は、結果的に、基準周囲条件下でプリントされた画像に最も近いプリント画像になる。実験手順もまた、ｆｔおよびｆｈ（・）を決定するために用いられ得る。
【００７０】
図７Ｆを参照すると、方法７６０のフローチャートが示されている。図７Ｆに示す方法７６０が相対湿度における変化をさらに考慮に入れているという点を除けば、方法７６０は、図７Ｅに示す方法７５０と同一の機能を実行するために本発明の一実施形態において用いられる。図７Ｄに関連して先に述べたように、方法７６０は、関数Ｇ（・，Ｔｒｃ）およびＳ（・）に対するルックアップテーブルを予備計算する（ステップ７４２）。方法７６０は、ソース画像１００中のピクセルの各ブロックＢに関するループに入る（ステップ７５１）。方法７６０は、プリンタ周囲温度Ｔｒを識別する（ステップ７０６）。
【００７１】
方法７６０は、現プリンタ周囲温度Ｔｒと、較正プリンタ周囲温度Ｔｒｃと、相対湿度ΔＲＨにおける変化とに基づいて、等式１２を用いて修正プリントヘッド温度Ｔ’ｓを算出する（ステップ７６２）。ステップ７６２において発生された修正プリントヘッド温度Ｔ’ｓは湿度の影響を反映し、修正プリントヘッド温度Ｔ’ｓもまたステップ７０４において識別されたプリントヘッド要素温度Ｔｈに影響するため、図７Ｆ中のステップ７５４において計算される入力エネルギーＥが湿度の影響を効果的に考慮しているという点を除けば、方法７６０の残りは、図７Ｅに関連して上述したのと同一の方法で、ステップ７０２、７０４、７１０、７５４、７１４、７１６および７５５を実行する。
【００７２】
代替的な仮説は、染料層のガラス転移温度Ｔｇが相対湿度の関数として変化するということである。染料がレシーバへ導かれる速度は、粘度の関数であり、粘度の関数は、Ｔｇの関数である。これらの前提に基づいて、温度における同等の変化を計算するための式を発生し得る。温度における変化もまた相対湿度に比例しており、温度における変化においては、比例定数は周囲温度に対して二次の従属性を有する。等式１２において与えられたサーミスタ温度に対する湿度修正項の形が、同様にこの仮説に適合するという点に留意されたい。
【００７３】
本明細書中において開示されている技術は、多様な利点を有する。上述したように、熱履歴制御アルゴリズムが較正された後に起こる周囲温度変化は、このような変化が考慮に入れられない場合、最適以下の出力をプリンタに発生させ得る。画像をプリントするためにプリンタに対して提供する入力エネルギーを算出する際に、周囲温度変化を明確に考慮に入れることによって、本明細書中に開示されている技術はこのような温度変化を補正し、それによってプリント出力の質を向上させる。
【００７４】
同様に、上述したように、熱履歴制御アルゴリズムが較正された後に起こる湿度の変化は、このような変化が考慮に入れられない場合、最適以下の出力をプリンタに発生させる。画像をプリントするためにプリンタに対して提供する入力エネルギーを算出する際に、湿度変化を明確に考慮に入れることによって、本明細書中に開示されている技術はこのような温度変化を補正し、それによってプリント出力の質を向上させる。
【００７５】
さらに、本明細書中に開示されている技術は、「Ｔｈｅｒｍａｌ  Ｈｉｓｔｏｒｙ  Ｃｏｎｔｒｏｌ」と題された、先に参照した特許出願において開示されている利点を有する。たとえば、本明細書中に開示されている技術は、プリントヘッド要素に対して提供されるエネルギーを算出する際に、プリントヘッドの現周囲温度と、プリントヘッドの熱履歴およびエネルギー履歴とを考慮に入れることによってプリントヘッド要素の温度を、所望の濃度を生じるのに必要な温度にのみ上昇させ、それによって「濃度の偏り」の問題を低減または除去する。本発明の多様な実施形態のさらなる利点は、それらが、プリントヘッド要素に対して提供される入力エネルギーを、所望の濃度を生じるために必要または望ましいように、増大または低減し得るという点である。
【００７６】
本発明の多様な実施形態の別の利点は、プリントヘッド要素に対して提供されるエネルギーを、計算上効率的な方法で算出し得るという点である。たとえば、上述したように、本発明の一実施形態において、入力エネルギーは、２つの１変数関数（Ｇ（ｄ）およびＳ（ｄ））を用いて算出され、それによって、単一の４次関数Ｆ（ｄ，Ｔｈ，Ｔｒ，ΔＲＨ）を用いるよりも入力エネルギーがより効率的に算出されることが可能になる。
【００７７】
特定の実施形態という点から発明を説明してきたが、前述の実施形態は、単に例示説明として提供されたにすぎず、発明の範囲を限定または定義するものではないということが理解されるべきである。以下を含むその他の多様な実施形態もまた、請求項の範囲内にある（ただし以下のものに限定しない）。たとえば、同様の機能を実行するために、本明細書中に記載された要素およびコンポーネントをさらに追加のコンポーネントに分けるか、あるいはより少ないコンポーネントを形成するように連結させてもよい。
【００７８】
一部の実施形態は、感熱式転写プリンタに関連して本明細書中に記載され得るが、これは本発明の限定ではないということが認識されるべきである。むしろ、上述の技術は、感熱式転写プリンタ以外のプリンタ（たとえば直接感熱式プリンタ）に適用され得る。さらに、上述の感熱式プリンタの多様な特徴は、単に例示の目的で記載されたものであり、本発明の限定を構成するものではない。
【００７９】
以上に示し、記載した多様な等式の結果は、多様な方法のうちの任意の方法で得られ得るということが認識されるべきである。たとえば、このような等式（等式１等）はソフトウェアにおいてインプリメントされ得、その結果はオンザフライで（ｏｎ−ｔｈｅ−ｆｌｙ）計算され得る。代替的に、このような等式に対する入力およびそれに対応する出力を保存するルックアップテーブルが予め生成され得る。等式に対する近似値も、たとえば、より向上した算出効率を提供するために用いられ得る。さらに、以上に述べた等式をインプリメントするために、これらの技術またはその他の技術の任意の組み合わせが用いられ得る。したがって、以上の説明における、等式の解を「算出する」、「計算する」といった用語の使用は、単にオンザフライの計算のみでなく、同一の結果を生じるために用いられ得る任意の技術を指すものであると理解されるべきである。
【００８０】
上記の技術は、たとえば、ハードウェア、ソフトウェア、ファームウェア、またはそれらの任意の組み合わせにおいて実施され得る。上記の技術は、プロセッサと、プロセッサによって読取り可能な記憶媒体と（たとえば、揮発性メモリおよび不揮発性メモリならびに／または記憶装置要素を含む）、少なくとも１つの入力装置と、少なくとも１つの出力装置とを含むプログラム可能なコンピュータ上で実行する、１つ以上のコンピュータプログラムにおいて実施され得る。記載された機能を実行し、出力を生成するために、入力装置を用いて入力された入力に対してプログラムコードが適用され得る。出力は、１つ以上の出力装置へ提供され得る。
【００８１】
以下の請求項の範囲内にある各コンピュータプログラムは、アセンブリ言語、機械言語、高レベルな手続型言語のプログラミング言語、またはオブジェクト指向プログラミング言語等の、任意のプログラミング言語においてインプリメントされ得る。プログラミング言語は、たとえば、コンパイル型またはインタープリタ型のプログラミング言語であり得る。
【００８２】
このようなそれぞれのコンピュータプログラムは、機械読み取り可能な装置において明確に具体化される、コンピュータプロセッサによって実行するためのコンピュータプログラム製品においてインプリメントされ得る。本発明の方法ステップは、入力を操作し出力を生成することによって発明の機能を実行するための、コンピュータ読み取り可能な媒体上で明確に具体化されるプログラムを実行するコンピュータプロセッサによって実行され得る。適切なプロセッサには、例示として、汎用マイクロプロセッサおよび特定用途向けマイクロプロセッサの両方が含まれる。一般的に、プロセッサは、読み取り専用メモリおよび／またはランダムアクセスメモリから命令とデータとを受け取る。コンピュータプログラム命令を明確に具体化するのに適切な記憶装置として、たとえば、ＥＰＲＯＭメモリデバイス、ＥＥＰＲＯＭメモリデバイス、フラッシュメモリデバイスを含む半導体メモリデバイス、内部ハードディスクやリムーバブルディスク等の磁気ディスク、光磁気ディスク、ＣＤ−ＲＯＭ、といったあらゆる形態の不揮発性メモリが挙げられる。以上のうちの任意のものが、特別設計された（特定用途型の集積回路）ＡＳＩＣまたはＦＰＧＡ（Ｆｉｅｌｄ−Ｐｒｏｇｒａｍａｂｌｅ  Ｇａｔｅ  Ａｒｒａｙｓ）によって補われるか、その中に組み込まれ得る。コンピュータは、一般的に、内部ディスク（図示せず）またはリムーバブルディスク等の記憶媒体からプログラムおよびデータを受け取ることもできる。これらの要素は、従来のデスクトップまたはワークステーションコンピュータにおいても、本明細書中に記載の方法をインプリメントするコンピュータプログラムを実行するのに適切なその他のコンピュータ同様に見られる。これらのコンピュータは、紙、フィルム、ディスプレイスクリーン、またはその他の出力媒体上にカラーピクセルまたはグレースケールピクセルを発生させることが可能な、任意のデジタルプリントエンジンまたはマーキングエンジン、ディスプレイモニタ、またはその他のラスター出力装置と関連して用いられ得る。
【図面の簡単な説明】
【００８３】
【図１】図１は、本発明の一実施形態に従ってデジタル画像をプリントするために用いられるシステムのデータフロー図である。
【図２】図２は、本発明の一実施形態において用いられる逆プリンタモデルのデータフロー図である。
【図３】図３は、本発明の一実施形態において用いられる感熱式プリンタモデルのデータフロー図である。
【図４】図４は、本発明の一実施形態において用いられる逆媒体濃度モデルのデータフロー図である。
【図５】図５は、本発明の一実施形態に従う、感熱式プリントヘッドを含む感熱式プリンタの一部分の概略側面図である。
【図６】図６は、本発明の一実施形態に従う、レシーバ媒体を介した熱拡散をモデル化する回路の概略図である。
【図７Ａ】図７Ａは、本発明の多様な実施形態に従う、熱履歴制御を用いてデジタル画像をプリントするための方法のフローチャートである。
【図７Ｂ】図７Ｂは、本発明の多様な実施形態に従う、熱履歴制御を用いてデジタル画像をプリントするための方法のフローチャートである。
【図７Ｃ】図７Ｃは、本発明の多様な実施形態に従う、熱履歴制御を用いてデジタル画像をプリントするための方法のフローチャートである。
【図７Ｄ】図７Ｄは、本発明の多様な実施形態に従う、熱履歴制御を用いてデジタル画像をプリントするための方法のフローチャートである。
【図７Ｅ】図７Ｅは、本発明の多様な実施形態に従う、熱履歴制御を用いてデジタル画像をプリントするための方法のフローチャートである。
【図７Ｆ】図７Ｆは、本発明の多様な実施形態に従う、熱履歴制御を用いてデジタル画像をプリントするための方法のフローチャートである。
【図１】
2007533512.tif 000011
【図２】
2007533512.tif 000012
【図３】
2007533512.tif 000013
【図４】
2007533512.tif 000014
【図５】
2007533512.tif 000015
【図６】
2007533512.tif 000016
【図７Ａ】
2007533512.tif 000017
【図７Ｂ】
2007533512.tif 000018
【図７Ｃ】
2007533512.tif 000019
【図７Ｄ】
2007533512.tif 000020
【図７Ｅ】
2007533512.tif 000021
【図７Ｆ】
2007533512.tif 000022
【国際調査報告】
2007533512.tif 000023
2007533512.tif 000024
2007533512.tif 000025
2007533512.tif 000026
2007533512.tif 000027